【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
レーザ光源と、
前記レーザ光源から出射されたレーザ光を記録媒体上に収束させる対物レンズと、
前記記録媒体によって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、
前記記録媒体により反射された前記レーザ光の光束を、前記第１および第２の直線によって４分割した４つの光束の進行方向を互いに異ならせてこれら４つの光束を離散させ、離散された前記４つの光束が光検出器の受光面上において直方形の異なる４つの頂角の位置にそれぞれ導かれるよう、前記４つの光束の進行方向を変化させる角度調整素子と、
前記第１および第２の直線にそれぞれ４５°の角度をもつ第３および第４の直線によってそれぞれ２分割したセンサにより、前記角度調整素子によって分割された各光束をそれぞれ受光する光検出器と、
前記４つの光束のうち、前記トラック像に対して垂直な方向にある２つの光束の光量バランスを算出する第１の演算部と、前記４つの光束のうち、前記トラック像に対して平行な方向にある２つの光束の前記トラック像に対して垂直な方向の光量バランスを算出する第２の演算部とにより、トラッキングエラー信号を生成する演算回路と、
前記光検出器の受光面に平行な方向における前記センサパターンの位置ずれに基づいて、当該位置ずれによる前記トラッキングエラー信号の直流成分を打ち消すよう、前記センサパターンからの信号のゲインを調整するゲイン調整回路と、を有する、
ことを特徴とする光ピックアップ装置。
【請求項２】
請求項１に記載の光ピックアップ装置において、
前記センサパターンを構成する８つのセンサのうち、その出力信号が前記演算回路において互いに減算されないセンサが、前記センサパターン上で互いに連結されている、
ことを特徴とする光ピックアップ装置。
【請求項３】
レーザ光源と、
前記レーザ光源から出射されたレーザ光をディスク上に収束させる対物レンズと、
前記ディスクによって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、
前記記録媒体により反射された前記レーザ光の光束を、前記第１および第２の直線によって４分割した４つの光束の進行方向を互いに異ならせてこれら４つの光束を離散させ、離散された前記４つの光束が光検出器の受光面上において直方形の異なる４つの頂角の位置にそれぞれ導かれるよう、前記４つの光束の進行方向を変化させる角度調整素子と、
前記第１および第２の直線にそれぞれ４５°の角度をもつ第３および第４の直線によってそれぞれ２分割したセンサにより、前記角度調整素子によって分割された各光束をそれぞれ受光する光検出器と、
前記４つの光束のうち、前記トラック像に対して垂直な方向にある２つの光束の光量バランスを算出する第１の演算部と、前記４つの光束のうち、前記トラック像に対して平行な方向にある２つの光束の前記トラック像に対して垂直な方向の光量バランスを算出する第２の演算部とにより、トラッキングエラー信号を生成する演算回路と、
前記光検出器の受光面に平行な方向における前記センサパターンの位置ずれに基づいて、当該位置ずれによる前記トラッキングエラー信号の直流成分を打ち消すよう、前記センサパターンからの信号のゲインを調整するゲイン調整回路と、を有する
ことを特徴とする光ディスク装置。
【請求項４】
請求項３に記載の光ディスク装置において、
前記センサパターンを構成する８つのセンサのうち、その出力信号が前記演算回路において互いに減算されないセンサが、前記センサパターン上で互いに連結されている、
ことを特徴とする光ディスク装置。
【手続補正２】
【補正対象書類名】明細書
【補正対象項目名】００１０
【補正方法】変更
【補正の内容】
【００１０】
本発明の第１の態様に係る光ピックアップ装置は、レーザ光源と、前記レーザ光源から出射されたレーザ光を記録媒体上に収束させる対物レンズと、前記記録媒体によって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、前記記録媒体により反射された前記レーザ光の光束を、前記第１および第２の直線によって４分割した４つの光束の進行方向を互いに異ならせてこれら４つの光束を離散させ、離散された前記４つの光束が光検出器の受光面上において直方形の異なる４つの頂角の位置にそれぞれ導かれるよう、前記４つの光束の進行方向を変化させる角度調整素子と、前記第１および第２の直線にそれぞれ４５°の角度をもつ第３および第４の直線によってそれぞれ２分割したセンサにより、前記角度調整素子によって分割された各光束をそれぞれ受光する光検出器と、前記４つの光束のうち、前記トラック像に対して垂直な方向にある２つの光束の光量バランスを算出する第１の演算部と、前記４つの光束のうち、前記トラック像に対して平行な方向にある２つの光束の前記トラック像に対して垂直な方向の光量バランスを算出する第２の演算部とにより、トラッキングエラー信号を生成する演算回路と、前記光検出器の受光面に平行な方向における前記センサパターンの位置ずれに基づいて、当該位置ずれによる前記トラッキングエラー信号の直流成分を打ち消すよう、前記センサパターンからの信号のゲインを調整するゲイン調整回路とを有することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１６
【補正方法】変更
【補正の内容】
【００１６】
本発明の第２の態様係る光ディスク装置は、レーザ光源と、前記レーザ光源から出射されたレーザ光をディスク上に収束させる対物レンズと、前記ディスクによって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、前記記録媒体により反射された前記レーザ光の光束を、前記第１および第２の直線によって４分割した４つの光束の進行方向を互いに異ならせてこれら４つの光束を離散させ、離散された前記４つの光束が光検出器の受光面上において直方形の異なる４つの頂角の位置にそれぞれ導かれるよう、前記４つの光束の進行方向を変化させる角度調整素子と、前記第１および第２の直線にそれぞれ４５°の角度をもつ第３および第４の直線によってそれぞれ２分割したセンサにより、前記角度調整素子によって分割された各光束をそれぞれ受光する光検出器と、前記４つの光束のうち、前記トラック像に対して垂直な方向にある２つの光束の光量バランスを算出する第１の演算部と、前記４つの光束のうち、前記トラック像に対して平行な方向にある２つの光束の前記トラック像に対して垂直な方向の光量バランスを算出する第２の演算部とにより、トラッキングエラー信号を生成する演算回路と、前記光検出器の受光面に平行な方向における前記センサパターンの位置ずれに基づいて、当該位置ずれによる前記トラッキングエラー信号の直流成分を打ち消すよう、前記センサパターンからの信号のゲインを調整するゲイン調整回路とを有することを特徴とする。
【手続補正５】
【補正対象書類名】明細書
【補正対象項目名】００１８
【補正方法】削除
【補正の内容】